(57)【特許請求の範囲】
【請求項１】
電池を電源として校正音信号を生成する校正音信号生成手段と、一端にこの校正音信号に基づく校正音を発する電気音響変換器を取り付け、他端に校正対象となるマイクロホンを挿入するマイクロホン挿入口を有するカプラを備えた音響校正器において、前記カプラを支持すると共に、前記カプラのマイクロホン挿入口側の面に前記電池を収納する電池収納部を形成したカプラ支持部材と、このカプラ支持部材に支持された前記カプラの電気音響変換器取り付け側を覆う第１ケース部材と、前記マイクロホン挿入口を除いた前記カプラと前記カプラ支持部材を覆う第２ケース部材とを備え、前記カプラ支持部材と前記第１ケース部材とで形成される空間に前記校正音信号生成手段を配置したプリント基板を前記カプラ支持部材と対向させて配置したことを特徴とする音響校正器。
【請求項２】
請求項１に記載の音響校正器において、前記第２ケース部材は係止手段によって前記第１ケース部材に着脱自在に係止することを特徴とする音響校正器。
【請求項３】
請求項１又は２に記載の音響校正器において、電池接片は前記プリント基板に立設し、前記カプラ支持部材を介して前記電池収納部に配設されることを特徴とする音響校正器。
【発明の詳細な説明】
【０００１】
【発明の属する技術分野】
本発明は、マイクロホンを備える騒音計等の音響測定器の感度を校正する音響校正器に関する。
【０００２】
【従来の技術】
マイクロホンを使用する騒音計等の音響測定器の精度を維持するためには、定期的にマイクロホンの音響校正を行なう必要があり、一般に音響校正器が用いられている。
【０００３】
従来の音響校正器は、図９に示すように、直径２インチ、高さ４インチ程度の円筒状のケース１００を形成してなり、ケース１００の内部に校正対象となるマイクロホンを挿入するためのカプラ１０１、カプラ１０１内に音圧を発生させるスピーカ１０２、スピーカ１０２に所定の周波数及び所定の振幅の正弦波信号を供給する電子部品を実装したプリント基板１０３、プリント基板１０３の電源となる電池を保持する電池ホルダ１０４などを備えている。
【０００４】
音響校正器を用いて騒音計の校正を行う場合、騒音計のマイクロホンに上方から音響校正器を被せるようにして、音響校正器から手を放し、手の振動が音響校正器に伝わらないようにするのが望ましい。そのためには、音響校正器から手を放した状態でも音響校正器が安定して騒音計に装着されていなければならず、音響校正器の重心が、低い位置にあって、なおかつマイクロホンの中心軸上付近にある必要がある。
【０００５】
【発明が解決しようとする課題】
しかしながら、図９に示す従来の音響校正器において、その形状に起因するいくつかの問題点があった。
従来の音響校正器では、直径（約２インチ）に比べて高さ（約４インチ）が高いために重心の位置が高く、音響校正器から手を放すと、安定性が悪く音響校正作業を行うのが容易でなかった。
【０００６】
本発明は、従来の技術が有するこのような問題点に鑑みてなされたものであり、その目的とするところは、安定した校正作業が行える作業性のよい音響校正器を提供しようとするものである。
【０００７】
【課題を解決するための手段】
上記課題を解決すべく請求項１に係る発明は、電池を電源として校正音信号を生成する校正音信号生成手段と、一端にこの校正音信号に基づく校正音を発する電気音響変換器を取り付け、他端に校正対象となるマイクロホンを挿入するマイクロホン挿入口を有するカプラを備えた音響校正器において、前記カプラを支持すると共に、前記カプラのマイクロホン挿入口側の面に前記電池を収納する電池収納部を形成したカプラ支持部材と、このカプラ支持部材に支持された前記カプラの電気音響変換器取り付け側を覆う第１ケース部材と、前記マイクロホン挿入口を除いた前記カプラと前記カプラ支持部材を覆う第２ケース部材とを備え、前記カプラ支持部材と前記第１ケース部材とで形成される空間に前記校正音信号生成手段を配置したプリント基板を前記カプラ支持部材と対向させて配置したものである。
【０００８】
請求項２に係る発明は、請求項１に記載の音響校正器において、前記第２ケース部材は係止手段によって前記第１ケース部材に着脱自在に係止するものである。
【０００９】
請求項３に係る発明は、請求項１又は２に記載の音響校正器において、電池接片は前記プリント基板に立設し、前記カプラ支持部材を介して前記電池収納部に配設されるものである。
【００１０】
【発明の実施の形態】
以下に本発明の実施の形態を添付図面に基づいて説明する。ここで、図１は本発明に係る音響校正器の斜視図、図２は同じく分解斜視図、図３は第１ケース部材の斜視図、図４はプリント基板とカプラ支持部材の関係を示す斜視図、図５はカプラとカプラ支持部材の関係を示す斜視図、図６はカプラの断面図である。
【００１１】
本発明に係る音響校正器は、図１に示すように、上面に円筒部を突出形成した扁平な直方体形状をなす。円筒部に形成された穴部は、校正対象となる１インチのマイクロホンを挿入するマイクロホン挿入口３ａである。
【００１２】
そして、音響校正器は、図２に示すように、主要な構成要素である第１ケース部材１、校正音信号生成部を構成する部品を実装したプリント基板２、カプラ３、カプラ３を支持するカプラ支持部材４、第２ケース部材５からなる。第１ケース部材１と第２ケース部材５を一体にすることにより、プリント基板２、カプラ３、カプラ支持部材４を収納するケース体が形成される。
【００１３】
第１ケース部材１は、図３に示すように、高分子材料を用いた成型品で、上部を開口し、下部に底面を形成した扁平な四角筒形形状を有する。
第１ケース部材１の内側側壁には、側壁の強度を向上させるための複数のリブ１ａが形成され、開口縁部には、第２ケース部材５の係止爪が係止する係止穴１ｂが形成されている。また、外側面には、楕円形状の凹部が形成され、この楕円形状の凹部に四角窓１ｃおよび丸窓１ｄが形成されている。更に、内側底部にはプリント基板２等を固定するためのボス１ｅが３個突出形成されている。
【００１４】
プリント基板２には、図４に示すように、校正音信号生成部として所定周波数、所定音圧レベルの信号をカプラ３内に発生させるための信号を生成するのに必要な電子部品（不図示）が実装されている。また、プリント基板２には、電池端子２ａ，２ｂが二対立設している。更に、校正音信号生成部の電源ラインをオンオフする電源スイッチ２ｃと電源ラインがオン状態のとき、点灯する発光ダイオード２ｄが設けられている。なお、２ｅはプリント基板２を第１ケース部材１に固定するねじを通すための貫通孔である。
【００１５】
図４（ａ）はプリント基板２とカプラ支持部材４の組付け前の状態を示し、図４（ｂ）は組付け後の状態を示す。なお、図４にはカプラ支持部材４にプリント基板２を組み付ける前に、カプラ支持部材４の中央に形成された孔部４ａに挿入されて固定されるカプラ３についての記載を省略している。４ｂはカプラ支持部材４に形成された電池収納部である。
【００１６】
電池収納部４ｂの両端には、図４（ｂ）に示すように、カプラ支持部材４に固定されることなく、電池端子２ａ，２ｂが臨むことになり、電池から配線を介することなく、電池端子２ａ，２ｂのみでプリント基板２に電源を供給することができる。このように、プリント基板２がカプラ支持部材４に対向して配置される。
【００１７】
カプラ３は、図５に示すように、カプラ支持部材４の中央に形成された孔部４ａに挿入された状態で４本のネジ４ｄによって固定される。カプラ３は、直方体形状の部材に円筒部材を立設した形状をし、円筒部材には１インチより僅かに大きい直径で、所定の深さのマイクロホン挿入口３ａが形成されている。
【００１８】
更に、マイクロホン挿入口３ａには、図６に示すように、Ｏリング溝３ｂが形成され、このＯリング溝３ｂには、マイクロホンを挿入したとき気密を保つためのＯリング３ｃが嵌め込まれている。また、マイクロホン挿入口３ａには、マイクロホンの挿入深さを規制する、内径が１インチより僅かに小さいストッパ３ｄが形成されている。また、カプラ３にはカプラ３内外の大気圧の平衡を保つためのキャピラリーチューブ３ｅが形成されている。
【００１９】
そして、カプラ３の底部には、両側面に貫通孔３ｆが形成され、これら２つの貫通孔３ｆには耳かけ形補聴器等に使用するバランスアーマチャ形マグネチックイヤホン（以下、イヤホン）６が取り付けられている。このイヤホン６を２個取り付けた理由は、イヤホン６が小型であり、一個では所望の音圧を発生させることが困難だからである。
【００２０】
カプラ支持部材４は、図４又は図５に示すように、高分子部材でなる成型品で、上述したように中央にはカプラ３を挿入するための孔部４ａが形成されている。また、孔部４ａの両脇には、上述したように電池（例えば、単３形アルカリ乾電池）を装填するための凹溝状の電池収納部４ｂを備えている。なお、４ｃはカプラ支持部材４をプリント基板２と共に第１ケース部材１に固定するためのねじを通す貫通孔である。
【００２１】
第２ケース部材５は、高分子材料を用いた成型品であり、図７（ａ）と図７（ｂ）に示すように、扁平な四角筒形形状を有する。中央にはカプラ３の円筒部を通す孔部５ａが形成されている。また、第２ケース部材５の両袖には、第１ケース部材１の開口縁部に形成された係止穴１ｂに係止する係止爪５ｂが形成されている。また、内面上部には電池収納部４ｂに装填された電池を押え付ける電池押さえ部材５ｃが２箇所に形成されている。ここで、図７（ａ）は第２ケース部材５の断面図、図７（ｂ）は図７（ａ）のＡ方向矢視図である。
【００２２】
第１ケース部材１に形成された係止穴１ｂに第２ケース部材５の係止爪５ｂが係止する状態を図８に示す。ここで、図８（ａ）は第１ケース部材１と第２ケース部材５との関係を示す断面図、図８（ｂ）は係止穴１ｂと係止爪５ｂとの係止関係を示す拡大断面図である。
【００２３】
以上のように構成した本発明に係る音響校正器の組立手順と作用について説明する。
先ず、図５に示すように、カプラ支持部材４の孔部４ａにカプラ３の円筒部を挿入し、４本のネジ４ｄでカプラ支持部材４にカプラ３を固定する。
【００２４】
次いで、図４に示すように、プリント基板２を、プリント基板２に立設する二対の電池端子２ａ，２ｂをカプラ支持部材４の電池収納部４ｂの両端に形成された貫通孔に通しながら、カプラ支持部材４と一体化させる。
【００２５】
次いで、カプラ３とカプラ支持部材４とプリント基板２を一体化した状態で、これらを第１ケース部材１に収納する。その際、プリント基板２に設けた電源スイッチ２ｃが四角窓１ｃから、発光ダイオード２ｄが丸窓１ｄから夫々突出するように収納する。
【００２６】
そして、カプラ支持部材４の貫通孔４ｃとプリント基板２の貫通孔２ｅにねじを通し、カプラ３とカプラ支持部材４とプリント基板２を第１ケース部材１に固定する。
最後に、第２ケース部材５を第１ケース部材１に被せ、第２ケース部材５の係止爪５ｂを第１ケース部材１の係止穴１ｂに係止させることで、組立てが完了する。
【００２７】
このように、カプラ支持部材４にカプラ３を固定すると共に、電池収納部４ｂを形成し、カプラ３のマイクロホン挿入口３ａを除いてカプラ支持部材４を第２ケース部材５で覆い、カプラ支持部材４のイヤホン６の取り付け側を第１ケース部材１で覆い、しかも、カプラ支持部材４と第１ケース部材１とで形成される空間に校正音信号生成部を配置したプリント基板２をカプラ支持部材４と対向させて配置したので、音響校正器として扁平な外形とすることができる。
【００２８】
また、第１ケース部材１と第２ケース部材５とを係止手段（係止穴１ｂ、係止爪５ｂ）によって一体化させているので、第２ケース部材５に形成した爪係り部に爪をかけて引っ張るだけで第２ケース部材５を第１ケース部材１から外すことができる。
更に、第２ケース部材５を第１ケース部材１から外すと露出するカプラ支持部材５に電池収納部４ｂを設けているので、電池交換が容易である。
【００２９】
電池収納部４ｂに直接電池端子を取り付ける場合には、電池端子とプリント基板２との間をリード線等で接続する必要があるが、本発明においては、プリント基板２に立設した電池端子２ａ，２ｂをカプラ支持部材５に貫通させて電池収納部４ｂに臨ませているので、組立作業性が向上する。
【００３０】
【発明の効果】
以上説明したように請求項１に係る発明によれば、形状が扁平になるので、騒音計への取付状態が安定し、校正作業の効率化が図れる。
また、従来の円柱形状のように、容易に転倒したり、転がったりするという問題も生じない。しかも、従来の円柱形状では、内部に部品を収納する際、無駄な空間ができ易く、小型化が難しいという欠点があったが、形状を扁平にしたことにより、内部に無駄な空間もできず、小型化が図れる。
【００３１】
請求項２に係る発明によれば、第２ケース部材を容易に外すことができるので、極めて容易に電池交換できる。
【００３２】
請求項３に係る発明によれば、音響校正器の組立作業性が向上する。
【図面の簡単な説明】
【図１】本発明に係る音響校正器の斜視図
【図２】本発明に係る音響校正器の分解斜視図
【図３】第１ケース部材の斜視図
【図４】プリント基板とカプラ支持部材の関係を示す斜視図で、（ａ）は組付け前の斜視図、（ｂ）は組付け後の斜視図
【図５】カプラとカプラ支持部材の関係を示す斜視図
【図６】カプラの断面図
【図７】（ａ）は第２ケース部材の断面図、（ｂ）は図（ａ）のＡ方向矢視図
【図８】（ａ）は第１ケース部材と第２ケース部材との関係を示す断面図、（ｂ）は係止穴と係止爪との係止関係を示す拡大断面図
【図９】従来の音響校正器の断面図
【符号の説明】
１…第１ケース部材、１ｂ…係止穴、２…プリント基板、２ａ，２ｂ…電池端子、３…カプラ、３ａ…マイクロホン挿入口、４…カプラ支持部材、４ｂ…電池収納部、５…第２ケース部材、５ｂ…係止爪、６…イヤホン。
【図１】
0003569204.tif 000002
【図２】
0003569204.tif 000003
【図３】
0003569204.tif 000004
【図４】
0003569204.tif 000005
【図５】
0003569204.tif 000006
【図６】
0003569204.tif 000007
【図７】
0003569204.tif 000008
【図８】
0003569204.tif 000009
【図９】
0003569204.tif 000010